(57)【要約】【課題】液体を残らず排出することができる液体貯蔵用の容器を提供すること。【解決手段】液体を貯蔵する液体貯蔵用の容器１であって、容器１の内部に配置される底板４は、外延部から中心部に向かうにつれて水圧を上昇させるための第一の水圧上昇手段と、容器１の底部近傍に配置される略円筒状の取水口に向かうにつれて水圧を上昇させる第二の水圧上昇手段と、第二の水圧上昇手段に接続し、第二の水圧上昇手段よりも水圧上昇率が大きい第三の水圧上昇手段と、を有する。【選択図】図８
2018114987.tif 000002
【特許請求の範囲】
【請求項１】
液体を貯蔵する液体貯蔵用の容器であって、
前記容器の内部に配置される底板は、
外延部から中心部に向かうにつれて水圧を上昇させるための第一の水圧上昇手段と、
前記容器の底部近傍に配置される略円筒状の取水口に向かうにつれて水圧を上昇させる第二の水圧上昇手段と、
前記第二の水圧上昇手段に接続し、前記第二の水圧上昇手段よりも水圧上昇率が大きい第三の水圧上昇手段と、
を有する液体貯蔵用の容器。
【請求項２】
前記取水口の上方に略円筒状の呑口を有し、
前記呑口には、水流を加速する第一の水流加速手段が形成されており、
前記取水口には、前記第一の水流加速手段よりも水流の加速率が低い第二の水流加速手段が形成されており、
前記取水口には、前記第一の水圧上昇手段、前記第二の水圧上昇手段及び前記第三の水圧上昇手段によって水圧が上昇した状態の前記液体が流入するように構成されている、
請求項１に記載の液体貯蔵用の容器。
【請求項３】
前記第一の水圧上昇手段は、前記容器の底部に向かう凸状の湾曲形状であり、
前記第二の水圧上昇手段は、前記容器の底部近傍に配置される略円筒状の取水口に向かって傾斜する第一傾斜領域であり、
前記第三の水圧上昇手段は、前記第一傾斜領域に接続し、前記第一傾斜領域よりも大きな角度で前記取水口に向かって傾斜する第二傾斜領域である、
請求項１または請求項２に記載の液体貯蔵用の容器。
【請求項４】
前記呑口に形成される第一の水流加速手段は、前記容器の本体との接続部近傍に同心円状に形成される拡径部であり、
前記取水口に形成される第二の水流加速手段は、前記本体との接続部近傍において偏心状に形成される拡径部である、
請求項２または請求項３に記載の液体貯蔵用の容器。
【請求項５】
前記容器の内部形状は円筒形状に形成されており、
前記円筒形状の直径Ｄの前記底板の湾曲形状の曲率半径Ｒに対する比率Ａ１（Ｄ／Ｒ）は、０．６５以上０．８０以下に規定されている請求項１乃至請求項４のいずれかに記載の液体貯蔵用の容器。
【請求項６】
前記底板の最高位置ｈ２と最低位置ｈ１の差分Δｈ（ｈ２−ｈ１）の前記直径Ｄに対する比率Ａ２（Δｈ／Ｄ）は、０．０４以上０．０６以下に規定されている請求項１乃至請求項５のいずれかに記載の液体貯蔵用の容器。
【発明の詳細な説明】
【技術分野】
【０００１】
本発明は、液体貯蔵用容器に関する。
【背景技術】
【０００２】
従来、工業用途に使用される液体貯蔵用の容器として、金属製のタンクが知られている。
【先行技術文献】
【特許文献】
【０００３】
【特許文献１】特開２０００−１５８０６９
【発明の概要】
【発明が解決しようとする課題】
【０００４】
液体貯蔵用の容器において、液体をすべて排出する意図で操作したにも関わらず、液体が残留する場合には、衛生面等の問題が生じる。これに対して、従来、底板部材を排出方向に傾斜させる技術が提案されている。しかし、粘度の高い物質が容器の底部近傍に沈殿する場合など、底板部材を排出方向に傾斜させるだけでは、液体を残らず排出することが困難な場合がある。
【０００５】
本発明はかかる問題の解決を試みたものであり、液体を残らず排出することができる液体貯蔵用の容器を提供することを目的とする。
【課題を解決するための手段】
【０００６】
第一の発明は、液体を貯蔵する液体貯蔵用の容器であって、前記容器の内部に配置される底板は、外延部から中心部に向かうにつれて水圧を上昇させるための第一の水圧上昇手段と、前記容器の底部近傍に配置される略円筒状の取水口に向かうにつれて水圧を上昇させる第二の水圧上昇手段と、前記第二の水圧上昇手段に接続し、前記第二の水圧上昇手段よりも水圧上昇率が大きい第三の水圧上昇手段と、を有する液体貯蔵用の容器である。
【０００７】
第一の発明の構成によれば、底板が有する第一の水圧上昇手段、第二の水圧上昇手段及び第三の水圧上昇手段によって、水圧が高くなるから、排出される液体の流速が加速される。しかも、第三の水圧上昇手段による水圧上昇率は、第二の水圧上昇手段による水圧上昇率よりも大きいから、流体に加わる圧力の上昇率に変化を与えることができる。液体にかかる水圧の上昇率の変化により、液体が粘度が高い固形物の塊を含む場合であっても、底板に付着することを防止し、塊の少なくとも一部を破壊することができる。これにより、液体を残らず排出することができる。
【０００８】
第二の発明は、第一の発明の構成において、前記取水口の上方に略円筒状の呑口を有し、前記呑口には、水流を加速する第一の水流加速手段が形成されており、前記取水口には、前記第一の水流加速手段よりも水流の加速率が低い第二の水流加速手段が形成されており、前記取水口には、前記第一の水圧上昇手段、前記第二の水圧上昇手段及び前記第三の水圧上昇手段によって水圧が上昇した状態の前記液体が流入するように構成されている液体貯蔵用の容器である。
【０００９】
第二の発明の構成によれば、呑口においては、第一の水流加速手段によって、排出する液体の流速を加速することができる。取水口には、第一の水圧上昇手段、第二の水圧上昇手段及び第三の水圧上昇手段によって水圧が上昇した状態の液体が流入するから、取水口の入口における液体の流速は呑口の入口における液体の流速よりも速い。そして、取水口に流入した液体の流速が、第二の水流加速手段によって加速される。これにより、一層確実に、液体を残らず排出することができる。
【００１０】
第三の発明は、第一の発明または第二の発明の構成において、前記第一の水圧上昇手段は、前記容器の底部に向かう凸状の湾曲形状であり、前記第二の水圧上昇手段は、前記容器の底部近傍に配置される略円筒状の取水口に向かって傾斜する第一傾斜領域であり、前記第三の水圧上昇手段は、前記第一傾斜領域に接続し、前記第一傾斜領域よりも大きな角度で前記取水口に向かって傾斜する第二傾斜領域である、液体貯蔵用の容器である。
【００１１】
第四の発明は、第二の発明または第三の発明の構成において、前記呑口に形成される第一の水流加速手段は、前記容器の本体との接続部近傍に同心円状に形成される拡径部であり、前記取水口に形成される第二の水流加速手段は、前記本体との接続部近傍において偏心状に形成される拡径部である、液体貯蔵用の容器である。
【００１２】
第五の発明は、第一の発明乃至第四の発明のいずれかの構成において、前記容器の内部形状は円筒形状に形成されており、前記円筒形状の直径Ｄの前記底板の湾曲形状の曲率半径Ｒに対する比率Ａ１（Ｄ／Ｒ）は、０．６５以上０．８０以下に規定されている液体貯蔵用の容器である。
【００１３】
第六の発明は、第一の発明乃至第五の発明のいずれかの構成において、前記底板の最高位置ｈ２と最低位置ｈ１の差分Δｈ（ｈ２−ｈ１）の前記直径Ｄに対する比率Ａ２（Δｈ／Ｄ）は、０．０４以上０．０６以下に規定されている液体貯蔵用の容器である。
【発明の効果】
【００１４】
本発明によれば、液体を残らず排出することができる。
【図面の簡単な説明】
【００１５】
【図１】本発明の実施形態に係る液体貯蔵用容器を示す概略斜視図である。
【図２】液体貯蔵用容器の概略斜視図である。
【図３】底板の概略平面図である。
【図４】底板の概略正面図である。
【図５】底板の概略側面図である。
【図６】容器本体に配置された底板の概略正面図等である。
【図７】容器本体に配置された底板の概略側面図等である。
【図８】容器本体に配置された底板と呑口及び取水口を示す概略図等である。
【発明を実施するための形態】
【００１６】
以下、本発明を実施するための形態（以下、「実施形態」という。）について説明する。以下の説明においては、同様の構成には同じ符号を付し、その説明を省略又は簡略する。なお、当業者が適宜実施できる構成については説明を省略し、本発明の基本的な構成についてのみ説明する。
【００１７】
図１及び図２は、本発明の実施形態に係る液体貯蔵用の容器１（以下、「容器１」という。）を示す概略図である。容器１は金属製容器であり、例えば、日本酒の製造工程において液体を貯蔵する。容器１は、容器本体２を有する。また、容器１は、容器本体２の内部に配置され、容器本体２の内部形状の底部を構成する底板４を有する。容器本体２には、呑口６及び取水口８が形成されている。呑口６からは、基本的に濁りのない液体を排出する。取水口８から排出される液体は、例えば、比較的粘度の高い物質である固形物を含む場合がある。
【００１８】
図３、図４及び図５に示すように、底板４は、円板状の金属板を容器本体２の底部に向かって凸状の湾曲形状に形成されている。この凸状の湾曲形状は、外延部から中心部に向かうにつれて水圧を上昇させる第一の水圧上昇手段の一例である。図３において、点線で示す中心部４ａが凸状の湾曲形状の最低位置であり、左部分４ｂ及び右部分４ｃは、紙面手前方向に湾曲している。容器本体２の円筒形状の直径Ｄ（図６参照）の底板４の湾曲形状の曲率半径Ｒ（図６参照）に対する比率Ａ１（Ｄ／Ｒ）は、０．６５以上０．８０以下に規定されており、例えば、０．７５である。
【００１９】
図３及び図４に示すように、底板４は、出口近傍領域１０を有する。出口近傍領域１０は、取水口８と接続する出口部１０ｂ、左部分４ｂ及び右部分４ｃとの境界部１０ａとで区画される。図３及び図５に示すように、底板４は、取水口８に向かって傾斜する第一領域Ｓ１と、第一領域Ｓ１に接続し、第一領域Ｓ１よりも大きな角度で取水口８に向かって傾斜する第二領域Ｓ２とを有する。第一領域Ｓ１の傾斜は第二の水圧上昇手段の一例であり、第二領域Ｓ２の傾斜は第三の水圧上昇手段の一例である。底板４の最高位置ｈ２（図７参照）と最低位置ｈ１（図７参照）の差分Δｈ（ｈ２−ｈ１）の直径Ｄに対する比率Ａ２（Δｈ／Ｄ）は、０．０４以上０．０６以下に規定されており、例えば、０．０５である。
【００２０】
図２に示すように、呑口６は、容器本体２との接続部近傍において、同心円状に拡径した状態から呑口６の本体部６ｂの直径まで縮径する拡径部６ａを有する。呑口６の拡径部６ａは、第一の水流加速手段の一例である。取水口８は、容器本体２との接続部近傍において、偏心状に拡径した状態から縮径する拡径部８ａを有する。すなわち、取水口８は、その下部は取水口８の本体部８ｂと同じ直径で容器本体２に接続しているが、下部以外は拡径した状態から縮径する。取水口８の拡径部８ａは、第二の水流加速手段の一例である。
【００２１】
図６（ａ）は容器本体２に配置された底板４を正面から見た図である。図６（ｂ）は容器本体２の各部における水圧を示す概略グラフである。図６（ａ）に示すように、底板４は容器本体２の底部の中心部４ａに向かって湾曲しているから、図６（ａ）及び図６（ｂ）に示すように、容器本体２に貯蔵した液体の水圧は、端部から中心部に向かって、Ｐｙ１、Ｐｙ２，Ｐｙ３と高くなる。出口近傍領域１０は、底板４の他の部分よりも傾斜が大きいから、Ｐｙ１からＰｙ３までの水圧の高くなる程度よりも急激に水圧が高くなる。すなわち、Ｐｙ３からＰｙ４へ水圧の高くなる程度は、Ｐｙ１からＰｙ３までの水圧の高くなる程度よりも大きい。すなわち、底板４の周縁部から最低部である中心部４ａ（図３参照）へ向かって水圧が高くなるが、水圧の上昇率は、出口近傍領域１０において大きくなる。言い換えると、水圧が上昇するだけではなく、その上昇率が変動する。
【００２２】
図７（ａ）は容器本体２に配置された底板４を側面から見た図である。図７（ｂ）は容器本体２の各部における水圧を示す概略グラフである。図７（ａ）に示すように、底板４は取水口８に向かって傾斜しているから、図７（ａ）及び図７（ｂ）に示すように、容器本体２に貯蔵した液体の水圧は、取水口８から遠い方から取水口８に向かって、Ｐｘ１、Ｐｘ２，Ｐｘ３と高くなる。出口近傍領域１０は、底板４の他の部分よりも傾斜が大きいから、Ｐｘ１からＰｘ３までの水圧の高くなる程度よりも急激に水圧が高くなる。すなわち、Ｐｘ３からＰｘ４への水圧の上昇率は、Ｐｘ１からＰｘ３までの水圧の上昇率よりも大きい。言い換えると、水圧の上昇率が大きくなる方向に変動する。
【００２３】
図８（ａ）は容器本体２に配置された底板４、呑口６及び取水口８を側面から見た図である。図８（ｂ）は呑口６及び取水口８から排出される液体の流速を示す図である。図８（ａ）に示すように、呑口６は、同心円状の拡径部６ａ及び本体部６ｂを有し、直径ｄ２から直径ｄ１へと縮径している。このため、拡径部６ａの入り口における流速ｖ１は、加速され、拡径部６ａの出口においては流速ｖ２となる。取水口８は、偏心状の拡径部８ａ及び本体部８ｂを有し、直径ｄ３から直径ｄ１へと縮径している。このため、拡径部８ａの入り口における流速ｖ３は、加速され、拡径部８ａの出口においては流速ｖ４となる。図８（ｂ）に示すように、取水口８の拡径部８ａにおける加速の程度は、呑口６の拡径部６ａにおける加速の程度よりも小さい。しかし、底板４が湾曲しており、しかも、第一傾斜部Ｓ１及び第二傾斜部Ｓ２を有することによって、取水口８の拡径部８ａの入り口における液体の流速ｖ３は、拡径部６ａの入り口における流速ｖ１よりも速い。このため、拡径部８ａにおける加速の程度は比較的小さいが、流速ｖ４は流速ｖ２よりも速い。
【００２４】
上述の構成によって、取水口８に流入する液体は、底板４の下方に凸状の湾曲、底板４の第一傾斜領域Ｓ１及び第二傾斜領域Ｓ２によって二段階に加圧されているから、それらがない場合に比べて、流速が早い。そして、取水口８において、拡径部８ａによって水流がさらに加速される。しかも、第一傾斜領域Ｓ１と第二傾斜領域Ｓ２の傾斜の相違によって、水圧の上昇率が異なるから、第一傾斜領域Ｓ１と第二傾斜領域Ｓ２を通過する液体に対して、傾斜の相違による直接的な作用に加えて、水圧の上昇率の上昇という間接的な作用を及ぼすことができる。例えば、粘度の高い固形物は、第一傾斜領域Ｓ１上を滑り、続いて、より傾斜の大きい第二傾斜領域Ｓ２上へ移るときに物理的な刺激を受ける。このとき、水圧の上昇率も変動するから、第一傾斜領域Ｓ１と第二傾斜領域Ｓ２の境界において、水圧による刺激も受ける。これらの直接的な作用及び間接的な作用によって、粘度の高い固形物であっても、底板４に付着することを回避でき、また、固形物が塊になっている場合であっても、塊を少なくとも一部は破壊することができる。これにより、容器本体２内の液体を残らず排出することができる。
【００２５】
なお、本発明は上述の実施形態に限定されるものではなく、本発明の目的を達成できる範囲での変形、改良等は本発明に含まれるものである。
【符号の説明】
【００２６】
１      液体貯蔵用の容器
２      容器本体部
４      底板
６      呑口
８      取水口
【図１】
2018114987.tif 000003
【図２】
2018114987.tif 000004
【図３】
2018114987.tif 000005
【図４】
2018114987.tif 000006
【図５】
2018114987.tif 000007
【図６】
2018114987.tif 000008
【図７】
2018114987.tif 000009
【図８】
2018114987.tif 000010